(57)【要約】      （修正有）【課題】適正な予想術後前房深度を推定できる眼内レンズ度数決定装置、および眼内レンズ度数決定プログラムを提供する。【解決手段】被検眼に挿入する眼内レンズの度数を決定する眼内レンズ度数決定装置であって、前記被検眼の前眼部断面画像を撮影する断面撮影手段と、前記眼内レンズの度数を算出する演算制御手段と、を備え、前記演算制御手段は、前記前眼部断面画像を解析することによって前記被検眼の水晶体の嚢径を取得し、前記嚢径を用いて前記眼内レンズの予想術後前房深度を推定し、前記予想術後前房深度に基づいて前記眼内レンズの度数を算出することを特徴とする。【選択図】図６
2018033807.tif 000002
【特許請求の範囲】
【請求項１】
被検眼に挿入する眼内レンズの度数を決定する眼内レンズ度数決定装置であって、
前記被検眼の前眼部断面画像を撮影する断面撮影手段と、
前記眼内レンズの度数を算出する演算制御手段と、を備え、
前記演算制御手段は、前記前眼部断面画像を解析することによって前記被検眼の水晶体の嚢径を取得し、前記嚢径を用いて前記眼内レンズの予想術後前房深度を推定し、前記予想術後前房深度に基づいて前記眼内レンズの度数を算出することを特徴とする眼内レンズ度数決定装置。
【請求項２】
前記演算制御手段は、前記嚢径と前記眼内レンズの特徴パラメータに基づいて、前記予想術後前房深度を推定することを特徴とする請求項１の眼内レンズ度数決定装置。
【請求項３】
前記特徴パラメータは、少なくとも前記眼内レンズの全長を含むことを特徴とする請求項２の眼内レンズ度数決定装置。
【請求項４】
前記特徴パラメータは、前記眼内レンズの全長、光学部の厚さ、光学部の弾性率、光学部径、ループの角度、ループの厚さ、ループの弾性率の少なくともいずれかを含むことを特徴とする請求項２の眼内レンズ度数決定装置。
【請求項５】
前記演算制御手段は、前記全長よりも前記嚢径が小さいほど、前記予想術後前房深度の予測値をより後嚢側に補正することを特徴とする請求項１〜４のいずれかの眼内レンズ度数決定装置。
【請求項６】
前記演算制御手段は、前記嚢径と前記特徴パラメータに基づいて算出された補正量を前記予測値の算出に用いることを特徴とする請求項５の眼内レンズ度数決定装置。
【請求項７】
前記演算制御手段は、前記全長と前記嚢径の大きさを比較し、比較結果に基づいて前記眼内レンズが前記被検眼に適しているか否か判定することを特徴とする請求項１〜６のいずれかの眼内レンズ度数決定装置。
【請求項８】
前記演算制御手段は、被検眼の前房深度と、水晶体前面から水晶体赤道までのオフセット距離と、前記嚢径を用いて算出される補正量と、に基づいて、前記予想術後前房深度を推定することを特徴とする請求項１〜７の眼内レンズ度数決定装置。
【請求項９】
前記演算制御手段は、前記前眼部断面画像から水晶体前面に沿う曲線と水晶体後面に沿う曲線の交点を赤道位置と仮定して、前記水晶体の嚢径を算出することを特徴とする請求項１〜８のいずれかの眼内レンズ度数決定装置。
【請求項１０】
被検眼に挿入する眼内レンズの度数を決定する眼内レンズ度数決定装置において実行される眼内レンズ度数決定プログラムであって、前記眼内レンズ度数決定装置のプロセッサによって実行されることで、
前記被検眼の前眼部断面画像を撮影する断面撮影ステップと、
前記断面撮影ステップにおいて撮影された前記前眼部断面画像を解析することによって前記被検眼の水晶体の嚢径を取得する嚢径取得ステップと、
前記嚢径取得ステップにおいて取得された前記嚢径を用いて前記眼内レンズの術後予測前房深度を推定する推定ステップと、
前記推定ステップにおいて推定された前記術後予測前房深度に基づいて前記眼内レンズの度数を算出する算出ステップを前記眼内レンズ度数決定装置に実行させることを特徴とする眼内レンズ度数決定プログラム。
【発明の詳細な説明】
【技術分野】
【０００１】
本開示は、被検眼に挿入する眼内レンズの度数を決定するための眼内レンズ度数決定装置、および眼内レンズ度数決定プログラムに関する。
【背景技術】
【０００２】
白内障手術において、水晶体核の除去後に被検眼の眼内に挿入される眼内レンズ（以下、ＩＯＬ）のパワー（以下、度数）を決定する眼内レンズ度数決定装置が知られている（特許文献１参照）。このような装置では、眼内レンズ度数を決定するために予想術後前房深度（眼内レンズの位置）の推定が行われていた。
【先行技術文献】
【特許文献】
【０００３】
【特許文献１】特開２０１３−９４４１０号公報
【発明の概要】
【発明が解決しようとする課題】
【０００４】
しかしながら、従来の予想術後前房深度の推定において、眼内レンズのループのしなり具合の差については考慮されていなかった。
【０００５】
本開示は、従来の問題点に鑑み、適正な予想術後前房深度を推定できる眼内レンズ度数決定装置、および眼内レンズ度数決定プログラムを提供することを技術課題とする。
【課題を解決するための手段】
【０００６】
上記課題を解決するために、本開示は以下のような構成を備えることを特徴とする。
【０００７】
（１）  被検眼に挿入する眼内レンズの度数を決定する眼内レンズ度数決定装置であって、前記被検眼の前眼部断面画像を撮影する断面撮影手段と、前記眼内レンズの度数を算出する演算制御手段と、を備え、前記演算制御手段は、前記前眼部断面画像を解析することによって前記被検眼の水晶体の嚢径を取得し、前記嚢径を用いて前記眼内レンズの予想術後前房深度を推定し、前記予想術後前房深度に基づいて前記眼内レンズの度数を算出することを特徴とする。
（２）被検眼に挿入する眼内レンズの度数を決定する眼内レンズ度数決定装置において実行される眼内レンズ度数決定プログラムであって、前記眼内レンズ度数決定装置のプロセッサによって実行されることで、前記被検眼の前眼部断面画像を撮影する断面撮影ステップと、前記断面撮影ステップにおいて撮影された前記前眼部断面画像を解析することによって前記被検眼の水晶体の嚢径を取得する嚢径取得ステップと、前記嚢径取得ステップにおいて取得された前記嚢径を用いて前記眼内レンズの術後予測前房深度を推定する推定ステップと、前記推定ステップにおいて推定された前記術後予測前房深度に基づいて前記眼内レンズの度数を算出する算出ステップを前記眼内レンズ度数決定装置に実行させることを特徴とする。
【図面の簡単な説明】
【０００８】
【図１】本実施例に係る眼科撮影装置の構成について説明する概略構成図である。
【図２】撮像された前眼部像が表示された前眼部観察画面を示す図である。
【図３】前眼部断面画像の一例を示す図である。
【図４】ＩＯＬ度数の算出について説明するための図である。
【図５】オフセット量の算出方法を説明する図である。
【図６】補正量について説明する図である。
【図７】ＩＯＬのパラメータについて説明するための図である。
【発明を実施するための形態】
【０００９】
＜実施形態＞
以下、本開示に係る実施形態について説明する。本実施形態の眼科撮影装置（例えば、眼科撮影装置２００）は、例えば、断面撮影部（例えば、ＯＣＴデバイス５）と、演算制御部（例えば、制御部８０）を備える。断面撮影部は、例えば、被検眼の前眼部断面画像を撮影する。断面撮影部は、例えば、光コヒーレンストモグラフィ装置（ＯＣＴ）、超音波診断装置、シャインプルーフカメラ等である。
【００１０】
演算制御部は、被検眼に挿入する眼内レンズ（ＩＯＬともいう）の度数を算出する。まず、演算制御部は、前眼部断面画像を解析することによって水晶体の嚢径を取得する。例えば、演算制御部は、前眼部断面画像から水晶体の最大径部である赤道位置を求め、その赤道位置における径（嚢径）を取得する。なお、水晶体の赤道が虹彩に隠れて撮影できない場合、演算制御部は、水晶体前面と水晶体後面の各近似曲線が交差する２点を求め、その２点の距離を嚢径として取得してもよい。
【００１１】
次いで、演算制御部は、取得された嚢径を用いて眼内レンズの予想術後前房深度を推定する。予想術後前房深度とは、角膜からＩＯＬの光学部までの距離を術前に予測した値である。予想術後前房深度は、ＩＯＬの度数算出に用いられ、その算出結果に影響を及ぼす。術後前房深度は、ＩＯＬの支持部（ループ）のしなり具合によって変化するため、予想術後前房深度はループのしなりを考慮して推定される。ループのしなりは、嚢径によって変化する。例えば、嚢径が大きい場合に比べ、嚢径が小さい場合は嚢内にＩＯＬが納まるようにループのしなりが大きくなる。したがって、演算制御部は、ループのしなりによる予想術後前房深度のずれを嚢径の大きさに応じて補正する。例えば、演算制御部は、嚢径が大きい場合に比べ、嚢径が小さい場合はループのしなりが大きくなるため、予想術後前房深度の後嚢側または前嚢側への補正量を大きくする。例えば、嚢径の大きさに応じて経験的に設定された予想術後前房深度の補正量がメモリに記憶され、予想術後前房深度を算出する際に、演算制御部によって補正量がメモリから読み出されるようにしてもよい。例えば、演算制御部は、嚢径が１０ｍｍのときは予想術後前房深度を０．５ｍｍ後嚢側に補正し、嚢径が９ｍｍのときは予想術後前房深度を１ｍｍ後嚢側に補正してもよい。
【００１２】
なお、演算制御部は、嚢径だけでなく、ＩＯＬの特徴パラメータを用いて予想術後前房深度を推定してもよい。ＩＯＬの特徴パラメータ（モデル情報）は、例えば、ＩＯＬの全長、厚さ、弾性率、光学部径、ループ角度の少なくともいずれかによって決定されるパラメータである。これらのパラメータは、嚢内でのループのしなり具合に影響を与える。演算制御部は、ＩＯＬがしなりやすい傾向の特徴パラメータを持つ場合は、予想術後前房深度を大きく推定する。つまり、ループがしなることによって、ＩＯＬの光学部が後嚢側に移動する量を大きく推定する。例えば、ＩＯＬの全長が大きい場合は、水晶体嚢に収まるためにループが大きくしなる必要があるため、演算制御部は、予想術後前房深度の後嚢側への補正量を大きくする。また、ＩＯＬの厚さ、弾性率等が大きく、ＩＯＬの剛性が高い場合は、ループがしなりにくいため、演算制御部は、予想術後前房深度の後嚢側への補正量を小さくする。なお、ＩＯＬデザインによっては前方にしなるモデルもあるため、この場合は予想術後前房深度を前嚢側へ補正する。つまり、演算制御部は、ＩＯＬのモデルに応じて予想術後前房深度の補正の方向（前嚢側または後嚢側）を変更してもよい。
【００１３】
なお、演算制御部は、嚢径とＩＯＬ全長を比較してもよい。演算制御部は、この比較結果に基づいて、ＩＯＬが被検眼に適しているか否かを判定してもよい。例えば演算制御部は、嚢径に対してＩＯＬ全長が大きい場合、ＩＯＬが適していると判定し、嚢径に対してＩＯＬ全長が小さい場合、ＩＯＬが適していないと判定してもよい。例えば、演算制御部は、ＩＯＬが被検眼に適している場合は、眼内レンズの度数を計算し、適していない場合は、他のモデルの眼内レンズに変更する旨を検者に報知してもよい。
【００１４】
＜実施例＞
以下、本開示に係る眼科撮影装置２００を図面に基づいて説明する。図１は本実施例に係る眼科撮影装置２００の光学系について示す概略構成図である。なお、以下の光学系は、図示無き筐体に内蔵されている。また、その筐体は、周知のアライメント移動機構の駆動により、操作部材（例えば、ジョイスティック）を介して被検眼Ｅに対して３次元的に移動される。なお、以下の説明においては、被検者眼（眼Ｅ）の光軸方向をＺ方向、水平方向をＸ方向、鉛直方向をＹ方向として説明する。眼底の表面方向をＸＹ方向として考えても良い。
【００１５】
以下の説明においては、光コヒーレンストモグラフィーデバイス（ＯＣＴデバイス）５と、角膜形状測定デバイス３００と、を備えた眼科撮影装置２００を例に挙げて説明する。
【００１６】
ＯＣＴデバイス５は、被検眼Ｅの断面像を撮影するための前眼部撮像デバイスとして用いられる。ＯＣＴデバイス５は、眼Ｅの眼軸長を測定するために用いられてもよい。角膜形状測定デバイス３００は、角膜形状を測定するために用いられる。なお、ＯＣＴデバイス５は、前眼部断層像（断面像）撮影用の光コヒーレンストモグラフィーデバイスを例にとって説明する。
【００１７】
ＯＣＴデバイス５は、干渉光学系（ＯＣＴ光学系）１００を備えている。ＯＣＴ光学系１００は、眼Ｅに測定光を照射する。ＯＣＴ光学系１００は、前眼部上（例えば、角膜、水晶体など）から反射された測定光と，参照光との干渉状態を受光素子（検出器１２０）によって検出する。ＯＣＴ光学系１００は、前眼部上の撮像位置を変更するため、前眼部上における測定光の照射位置を変更する照射位置変更ユニット（例えば、光スキャナ１０８）を備える。制御部８０は、設定された撮像位置情報に基づいて照射位置変更ユニットの動作を制御し、検出器１２０からの受光信号に基づいて断層画像を取得する。
【００１８】
ＯＣＴ光学系１００は、いわゆる眼科用光断層干渉計（ＯＣＴ：Optical coherence tomography）の装置構成を持つ。ＯＣＴ光学系１００は、測定光源１０２から出射された光をカップラー（光分割器）１０４によって測定光（試料光）と参照光に分割する。そして、ＯＣＴ光学系１００は、測定光学系１０６によって測定光を前眼部に導き，また、参照光を参照光学系１１０に導く。その後、前眼部によって反射された測定光と，参照光との合成による干渉光を検出器（受光素子）１２０に受光させる。
【００１９】
光源１０２から出射された光は、カップラー１０４によって測定光束と参照光束に分割される。そして、測定光束は、光ファイバーを通過した後、空気中へ出射される。その光束は、光スキャナ１０８、及び測定光学系１０６の他の光学部材を介して前眼部に集光される。そして、前眼部で反射された光は、同様の光路を経て光ファイバーに戻される。
【００２０】
光スキャナ１０８は、眼Ｅ上でＸＹ方向（横断方向）に測定光を走査させる。光スキャナ１０８は、例えば、２つのガルバノミラーであり、その反射角度が駆動機構１０９によって任意に調整される。
【００２１】
これにより、光源１０２から出射された光束はその反射（進行）方向が変化され、眼Ｅ上で任意の方向に走査される。これにより、前眼部上における撮像位置が変更される。光スキャナ１０８としては、光を偏向させる構成であればよい。例えば、反射ミラー（ガルバノミラー、ポリゴンミラー、レゾナントスキャナ）の他、光の進行（偏向）方向を変化させる音響光学素子（ＡＯＭ）等が用いられる。
【００２２】
参照光学系１１０は、眼Ｅでの測定光の反射によって取得される反射光と合成される参照光を生成する。参照光学系１１０は、マイケルソンタイプであってもよいし、マッハツェンダタイプであっても良い。参照光学系１１０は、例えば、反射光学系（例えば、参照ミラー）によって形成され、カップラー１０４からの光を反射光学系により反射することにより再度カップラー１０４に戻し、検出器１２０に導く。他の例としては、参照光学系１１０は、透過光学系（例えば、光ファイバー）によって形成され、カップラー１０４からの光を戻さず透過させることにより検出器１２０へと導く。
【００２３】
参照光学系１１０は、参照光路中の光学部材を移動させることにより、測定光と参照光との光路長差を変更する構成を有する。例えば、参照ミラーが光軸方向に移動される。光路長差を変更するための構成は、測定光学系１０６の測定光路中に配置されてもよい。
【００２４】
検出器１２０は、測定光と参照光との干渉状態を検出する。フーリエドメインＯＣＴの場合では、干渉光のスペクトル強度が検出器１２０によって検出され、スペクトル強度データに対するフーリエ変換によって所定範囲における深さプロファイル（Ａスキャン信号）が取得される。ここで、制御部８０は、光スキャナ１０８により測定光を前眼部上で所定の横断方向に走査することにより断層像を取得できる。すなわち、被検眼の前眼部断層像を撮像する。例えば、Ｘ方向もしくはＹ方向に走査することにより、被検眼前眼部のＸＺ面もしくはＹＺ面における断層像（前眼部断層像）を取得できる（なお、本実施形態においては、このように測定光を前眼部に対して一次元走査し、断層像を得る方式をＢスキャンとする）。なお、取得された前眼部断層像は、制御部８０に接続されたメモリ８５に記憶される。さらに、測定光をＸＹ方向に二次元的に走査することにより、被検眼前眼部の三次元画像を取得することも可能である。
【００２５】
例えば、フーリエドメインＯＣＴとしては、Spectral-domain OCT（ＳＤ−ＯＣＴ）、Swept-source OCT（ＳＳ−ＯＣＴ）が挙げられる。また、Time-domain OCT（ＴＤ−ＯＣＴ）であってもよい。
【００２６】
ＳＤ−ＯＣＴの場合、光源１０２として低コヒーレント光源（広帯域光源）が用いられ、検出器１２０には、干渉光を各周波数成分（各波長成分）に分光する分光光学系（スペクトルメータ）が設けられる。スペクトルメータは、例えば、回折格子とラインセンサからなる。
【００２７】
ＳＳ−ＯＣＴの場合、光源１０２として出射波長を時間的に高速で変化させる波長走査型光源（波長可変光源）が用いられ、検出器１２０として、例えば、単一の受光素子が設けられる。光源１０２は、例えば、光源、ファイバーリング共振器、及び波長選択フィルタによって構成される。そして、波長選択フィルタとして、例えば、回折格子とポリゴンミラーの組み合わせ、ファブリー・ペローエタロンを用いたものが挙げられる。
【００２８】
角膜形状測定デバイス３００は、ケラト投影光学系５０、アライメント投影光学系４０、前眼部正面撮像光学系３０、に大別される。
【００２９】
ケラト投影光学系５０は、測定光軸Ｌ１を中心に配置されたリング状の光源５１を有し、被検眼角膜にリング指標を投影して角膜形状（曲率、乱視軸角度、等）を測定するために用いられる。なお、光源５１には、例えば、赤外光または可視光を発するＬＥＤが使用される。なお、投影光学系５０について、光軸Ｌ１を中心とする同一円周上に少なくとも３つ以上の点光源が配置されていればよく、間欠的なリング光源であってもよい。さらに、複数のリング指標を投影するプラチド指標投影光学系であってもよい。
【００３０】
アライメント投影光学系４０は、光源５１の内側に配置され、赤外光を発する投影光源４１（例えば、λ＝９７０ｎｍ）を有し、被検眼角膜Ｅｃにアライメント指標を投影するために用いられる。そして、角膜Ｅｃに投影されたアライメント指標は、被検眼に対する位置合わせ（例えば、自動アライメント、アライメント検出、手動アライメント、等）に用いられる。本実施形態において、投影光学系５０は、被検者眼角膜Ｅｃに対してリング指標を投影する光学系であって、リング指標は、マイヤーリングも兼用する。また、投影光学系４０の光源４１は、前眼部を斜め方向から赤外光にて照明する前眼部照明を兼用する。なお、投影光学系４０において、さらに、角膜Ｅｃに平行光を投影する光学系を設け、投影光学系４０による有限光との組合せにより前後のアライメントを行うようにしてもよい。
【００３１】
前眼部正面撮像光学系３０は、前眼部正面像を撮像（取得）するために用いられる。前眼部正面撮像光学系３０は、ダイクロイックミラー３３、対物レンズ４７、ダイクロイックミラー６２、フィルタ３４、撮像レンズ３７、二次元撮像素子３５、を含み、被検眼の前眼部正面像を撮像するために用いられる。二次元撮像素子３５は、被検眼前眼部と略共役な位置に配置されている。
【００３２】
前述の投影光学系４０、投影光学系５０による前眼部反射光は、ダイクロイックミラー３３、対物レンズ４７、ダイクロイックミラー６２、フィルタ３４、及び撮像レンズ３７を介して二次元撮像素子３５に結像される。
【００３３】
光源１は、固視灯である。また、例えば、光源１から発せられた光の前眼部での反射により取得される前眼部反射光の一部は、ダイクロイックミラー３３で反射され、前眼部正面撮像光学系３０で結像される。
【００３４】
次に、制御系について説明する。制御部８０は、装置全体の制御及び測定結果の算出を行う。制御部８０は、ＯＣＴデバイス５の各部材、角膜形状測定デバイス３００の各部材、モニタ７０、操作部８４、メモリ８５、等と接続されている。
【００３５】
また、操作部８４には、操作入力部として、マウス等の汎用インターフェースが用いられてもよいし、その他、タッチパネルが用いられてもよい。
【００３６】
なお、メモリ８５には、各種制御プログラムの他、制御部８０が前眼部画像解析を行う解析プログラム等が記憶されている。
【００３７】
＜制御動作＞
以上のような構成を備える装置において、眼内レンズ度数を決定するときの操作と制御動作について説明する。検者は、モニタ７０に表示される被検眼のアライメント状態を見ながら、図示なきジョイスティック等の操作手段を用いて、装置を上下左右及び前後方向に移動させ、装置を被検眼Ｅに対して所定の位置関係に置く。この場合、検者は、固視標を被検眼に固視させる。
【００３８】
アライメントの際には、光源４１及び光源５１が点灯される。ここで、検者は、図２に示すように、モニタ７０に電子的に表示されたレチクルＬＴと、光源４１によるリング指標と、が同心円状になるように上下左右のアライメントを行う。これによって、被検眼の角膜頂点に本装置の光軸Ｌ１が通るようにＸＹ方向にアライメントされる。また、検者は、リング指標Ｑ１のピントが合うように、前後のアライメントを行う。なお、リング指標Ｑ１の外側には、光源５１によるリング指標Ｑ２が表示されている。
【００３９】
前眼部に対するアライメントが完了されると、制御部８０は、前眼部正面撮像光学系３０によって被検眼の前眼部を撮影する。また、制御部８０は、予め設定された走査パターンに基づき、ＯＣＴ光学系１００によって被検眼の断面画像５００を撮影する（図３参照）。取得された前眼部画像および断面画像は、メモリ８５等に記憶される。
【００４０】
制御部８０は、メモリ８５に記憶された前眼部画像４００におけるリング指標像Ｑ１及びＱ２に基づいて被検眼の角膜形状をそれぞれ算出する。角膜形状とは、例えば、強主経線方向及び弱主経線方向における角膜前面の角膜曲率半径、角膜の乱視軸角度等である。また、制御部８０は、ＯＣＴデバイス５を用いて撮影された断面画像を解析する。例えば、制御部８０は、断面画像のエッジ検出によって角膜、水晶体などの位置を検出し、その位置に基づいて角膜厚、前房深度、水晶体厚を測定する。また、制御部８０は、検出された角膜および水晶体の前面または後面を円近似（または楕円近似、コニック曲線近似等）し、この近似曲線に基づいて角膜後面の曲率半径、水晶体前面曲率、水晶体後面曲率等を測定する。さらにＯＣＴ光学系によって網膜まで撮影することができる場合は、眼軸長を測定する。
【００４１】
測定および画像解析が完了すると、制御部８０は、既知であるＳＲＫ／Ｔ式、Ｂｉｎｋｈｏｒｓｔ式等を一部流用して眼内レンズ度数を算出する。例えば、ＳＲＫ／Ｔ式、Ｂｉｎｋｈｏｒｓｔ式等に上記の測定データを代入する。ＳＲＫ／Ｔ式（下記の式（１））を用いる場合、角膜曲率半径、眼軸長、予想後前房深度（詳細は後述する）等を用いて眼内レンズ度数が計算される。
【００４２】
【数１】
2018033807.tif 000003
ここで、R:角膜曲率半径[mm](R＝(nk−1.000)×1000/K)、nk:検者によって選択された屈折率、LO:AL＋RT[mm]、RT:網膜の厚み[mm](RT＝0.65696−0.02029×AL)、AL:眼軸長[mm]、AD’:予想術後前房深度の補正値[mm](AD’＝H＋OF,OF＝AD−3.336)、AD:予想術後前房深度[mm](AD＝0.62467×A−68.747)、A:A定数、H:角膜高さ[mm](H=R−(R×R−((Cw×Cw)/4))1/2)（ただし、(R×R−((Cw×Cw)/4))＜0の場合、H＝R）、Cw:角膜幅[mm]、Cw＝−5.41＋0.58412×LC＋0.098×K、LC:眼軸長の補正値[mm]（AL≦24.2の場合LC＝AL、AL＞24.2の場合LC＝−3.446＋1.716×AL−0.0237×AL2）、DR:術後希望する矯正用レンズの屈折力[D]、LP:移植するIOLの度数[D]、V:頂点距離、na:房水および硝子体の屈折率(＝1.336)、nc:角膜の屈折率(＝1.333)、ncml: nc−1(＝0.333)である。
【００４３】
次に、式（１）に用いられる予想術後前房深度の算出について、図４を用いて説明する。予想術後前房深度は、角膜高さ（角膜前面から水晶体前面までの高さ）に対し、オフセット量Ｘと補正量α（例えば、Ａ定数の関数）とが足し合わせられることによって算出される。なお、角膜高さは、角膜厚ＣＣＴと前房深度ＡＣＤを足し合わせることによって算出される。
【００４４】
オフセット量Ｘは、水晶体前面の位置から赤道位置（水晶体の最大径部分）までの距離を示している。なお、オフセット量Ｘは、ＩＯＬが水晶体嚢から圧力を受けることによって生じる水晶体後嚢側へのＩＯＬの移動量（上記で示す補正量α）が考慮されておらず、除かれている（詳細は後述する）。ＩＯＬの支持部（ループ）の先端の位置は、赤道位置とおおよそ同様となる。なお、赤道位置は、水晶体前面と水晶体後面とが交差する位置とされてもよい。
【００４５】
以下、オフセット量Ｘを算出する方法について説明する。例えば、制御部８０は、水晶体前面曲率半径Ｒ３、水晶体後面曲率半径Ｒ４、水晶体厚ＬＴを用いて赤道位置を算出し、この赤道位置を術後のループ先端の位置とする。術後のループ先端の位置は、おおよそＩＯＬの光学部の位置と同様と扱われるため、ループ先端の位置を光学部の位置としてオフセット量Ｘを算出する。
【００４６】
また、図５において、距離ｈは、光軸Ｌ１から水晶体前面の近似円と水晶体後面の近似円との交点までの距離を示している。距離Ｘ１は、光軸Ｌ１における水晶体前面曲率中心Ｏ４から水晶体後面までの距離を示している。距離Ｘ１'は、水晶体前面の近似円と水晶体後面の近似円との交点から水晶体後面までの距離を示している。距離Ｘ２は、光軸Ｌ１における水晶体後面曲率中心Ｏ３から水晶体前面までの距離を示している。距離Ｘは、水晶体前面の近似円と水晶体後面の近似円との交点から水晶体前面までの距離を示しており、オフセット量である。ピタゴラスの定理により以下の式が成り立つ。
【００４７】
【数２】
2018033807.tif 000004
そして、上記の式（２）において、距離ｈが同様であるため、これらの式をオフセット量Ｘについて解くと以下の式が成り立つ。
【００４８】
【数３】
2018033807.tif 000005
【００４９】
制御部８０は、式（３）によって算出したオフセット量Ｘと、前房深度ＡＣＤ、角膜厚ＣＣＴ、補正量αに基づいて予想術後前房深度を算出する。補正量αは、図６に示すように、ＩＯＬ挿入後に水晶体の嚢の圧力によって、ＩＯＬが後嚢側に押し下げられた際に、ＩＯＬが移動した量を補正するためのパラメータである。ＩＯＬが後嚢側に押し下げられると、ＩＯＬは若干、後嚢側に移動する。すなわち、ＩＯＬの後嚢側への移動量を補正して、予想術後前房深度を算出する。予想術後前房深度ＥＬＰは、以下の式（４）で求めることができる。
【００５０】
【数４】
2018033807.tif 000006
予想術後前房深度としては、角膜裏面から定義される場合もあるが、ここでは、角膜前面からＩＯＬ前面までの距離とした。
【００５１】
なお、補正量αは、ＩＯＬのモデルによって移動量が異なるため、臨床データに基づいてモデル毎に設定されたＡ定数を用いて算出されることがある。しかしながら、嚢の大きさによってもループのしなり具合が変化する場合がある。例えば、図６（ａ）は嚢径φ１の場合を示し、図６（ｂ）は嚢径φ１よりも小さい嚢径φ２の場合を示す。嚢径φ２の場合は、嚢径φ１の場合に比べ、嚢からループへ加わる圧力が大きいため、ループが後嚢側に大きくしなり、補正量αは大きくなる。このように、このように、嚢径の大小によってループのしなり具合が異なるため、本実施例では被検眼の嚢径を考慮して補正量αを算出する。
【００５２】
＜補正量の算出＞
以下、補正量αの算出について説明する。まず、制御部８０は、ＯＣＴデバイス５によって撮影された前眼部断面画像から水晶体の嚢径を測定する。例えば、制御部８０は、前眼部断面画像において、水晶体の前面および後面を円または楕円で近似し、これらの２つの交点の距離を嚢径とする。なお、嚢径は、図５における距離ｈを２倍したものであるため、制御部８０は、式（２）によって嚢径を算出してもよい。
【００５３】
嚢径を測定すると、制御部８０は、嚢径を用いて補正量αを計算する。例えば、制御部８０は、式（５）によって補正量αを計算する。
【００５４】
【数５】
2018033807.tif 000007
ここで、α：補正量、Ｌ：ＩＯＬ全長、Φ：嚢径、Ｂ，Ｃ：ＩＯＬ毎の特徴パラメータである。
【００５５】
例えば、式（５）では、嚢径が小さくなるにつれて補正量αが大きくなる。補正量αが大きくなると、式（４）で算出される予想術後前房深度も大きくなる。つまり、制御部８０は、嚢径が小さい場合に予想術後前房深度を大きく算出し、嚢径が大きい場合に予想術後前房深度を小さく算出する。このように、制御部８０は、嚢径に応じて補正量αを変化させることによって、ループのしなり具合による予想術後前房深度のずれを補正する。
【００５６】
また、制御部８０は、被検眼の嚢径だけでなく、ＩＯＬの特徴パラメータを用いて補正量αを計算してもよい。ＩＯＬの特徴パラメータは、例えば、図７に示すように、全長Ｌ、光学部径Ｕ、ループ角度θなどが挙げられる。また、特徴パラメータは、ＩＯＬの厚さ、光学部材質、ループ材質、ループ形状等に基づいて決定されるパラメータであってもよい。これらの特徴パラメータは、嚢径と同様にＩＯＬのループのしなり具合に影響する。
【００５７】
例えば、ＩＯＬ全長が大きいほどループはしなりやすい。したがって、制御部８０は、ＩＯＬ全長が大きい場合、補正量αを大きく算出する。このように、制御部８０は、ＩＯＬのループがしなりやすいほど補正量αを大きく算出する。例えば、ＩＯＬの剛性、材料の弾性率が小さいほどループはしなりやすいため、補正量αは大きく算出される。なお、これらの特徴パラメータはモデル毎に測定され、メモリに記憶されてもよい。もちろん、カタログに記載された数値が用いられてもよい。
【００５８】
上記のようにして推定された予想術後前房深度は、例えば、式（１）のAD'に代入され、眼内レンズ度数が計算される。
【００５９】
以上のように、本実施例の眼科撮影装置は、嚢径によるＩＯＬのしなりの変化を考慮して精度よく予想術後前房深度を算出できる。これによって、標準的な眼球形状ではない特徴的な眼球に対しても精度よくＩＯＬの度数を算出することができる。
【００６０】
なお、制御部８０は、ＩＯＬ全長と嚢径とを比較し、その比較結果に応じて装置の制御動作を切り換えてもよい。例えば、制御部８０は、嚢径がＩＯＬ全長よりも小さい場合、同じ場合、大きい場合の３つの場合で装置の制御動作を切り換えてもよい。
【００６１】
例えば、ＩＯＬ全長よりも嚢径が大きい場合、ＩＯＬは嚢の中で回旋し、ＩＯＬの位置は安定しない。この場合、予想術後前房深度にＩＯＬが位置しない可能性があり、眼内レンズ度数の算出結果の誤差が大きくなる恐れがある。したがって、制御部８０は、ＩＯＬ全長よりも嚢径が大きいと判定した場合、ＩＯＬのモデルが被検眼に適していない旨の報知を行ってもよい。例えば、制御部８０は、より全長の大きいＩＯＬに変更する旨の報知、術後に測定した屈折値と予測術後屈折値の乖離が大きくなる可能性がある旨の報知、またはＩＯＬ回旋の可能性がある旨の報知を行ってもよい。また、制御部８０は、挿入時にチン小帯にかかる負荷が大きくなる可能性がある旨の報知を行い、水晶体嚢拡張リング（capsular tension ring：CTR）を挿入する必要性を予測してもよい。例えば、制御部８０は、その旨をモニタ７０に表示させてもよいし、音声を出力してもよい。
【００６２】
ＩＯＬ全長と嚢径が同じ場合、嚢はＩＯＬを保持し、ＩＯＬの位置は安定する。この場合、予想術後前房深度にＩＯＬが位置する。したがって、制御部８０は、ループがほとんどしならないと仮定し、α＝０のままで予想術後前房深度を計算してもよい。
【００６３】
ＩＯＬ全長より嚢径が小さい場合、ＩＯＬは嚢によって保持され、ＩＯＬの位置は安定する。ループはしなり、光学部は予測された位置よりも後嚢または前嚢に近い位置で安定する。したがって、制御部８０は、ＩＯＬループのしなりを考慮して、上記の式（５）によって算出した補正量αを用いて予想術後前房深度を算出する。
【００６４】
このように、ＩＯＬ全長と嚢径の比較結果に応じて制御動作を切り換えることによって、適切な予想術後前房深度を推定することができる。
【００６５】
なお、補正量αは、上記のような計算式ではなく臨床的（実験的）に設定されてもよい。例えば、術前に測定された嚢径と、術後に測定された前房深度と予想術後前房深度のずれ量との関係に基づいて、補正量αが設定されてもよい。
【００６６】
なお、水晶体嚢径の代わりに、水晶体嚢の全周長（前嚢から後嚢を通って一周する長さ）を用いてもよい。全周長は、水晶体前面の近似円と水晶体後面の近似円が互いに切り取る弧長の合計が用いられてもよい。この全周長を予想術後前房深度の算出に用いることによって、水晶体の大きさを考慮した予想術後前房深度を推定できる。
【００６７】
なお、上記の実施例においては、ＩＯＬの特徴パラメータは設計値を用いたが、invivo（生体内）で測定された数値を用いてもよいし、invitoro（試験管内）で測定された数値を用いてもよいし、空気中で測定された数値を用いてもよい。生体内で測定する場合は、超音波測定装置等を使用して測定する。
【００６８】
なお、断層画像から嚢径を取得する場合、制御部８０は、ＩＯＬのループが嚢内に接触する位置で嚢径を計測してもよい。例えば、ＩＯＬのループが９０°の方向になるように水晶体に挿入される場合、制御部８０は、ＯＣＴ光学系を制御してＹ方向（９０°方向）のスキャンを行い、これによって取得された上下方向の断層画像を解析することによって、嚢径を測定してもよい。ＩＯＬのループが接触する位置は、検者によって入力されてもよいし、ＯＣＴ光学系１００等によって取得された３次元の断層画像データから水晶体の長径または短径が分かる場合は、長径または短径の位置に基づいて制御部８０が設定してもよい。
【００６９】
なお、本発明は、前眼部断層像（断面像）撮影用の光コヒーレンストモグラフィーデバイスにおいて、複数の走査位置にて前眼部断層像を取得することにより３次元形状画像を取得する場合においても適用可能である。ＯＣＴデバイス５は、前眼部の３次元断面像（３次元前眼部データ）を取得する前眼部撮像デバイスであって、制御部８０は、前眼部撮像デバイスによって取得された３次元断面像に基づいて水晶体前面からチン小帯と水晶体の接点までのオフセット距離を３次元的に求める。この場合、３次元前眼部データにおける経線方向毎の水晶体前面曲率と水晶体後面曲率の平均を算出し、これに基づいてＥＬＰを算出する。そして、３次元形状画像より測定値を取得することによって、取得される測定値の精度が良くなる。
【００７０】
なお、本実施形態においては、前眼部断面像を撮像する前眼部撮像デバイスとして、前眼部断層像（断面像）撮影用の光コヒーレンストモグラフィーデバイスを例に挙げたがこれに限定されない。光源からの出射光を被検眼前眼部に向けて投光し、前眼部上に光切断面を形成させる投光光学系と、光切断面の前眼部での散乱により取得される前眼部散乱光を含む光を受光する検出器を有する受光光学系と、を有し、検出器からの検出信号に基づいて前眼部断面画像を形成する構成であればよい。すなわち、検眼の前眼部にスリット光を投影し、シャインプルークカメラにより前眼部断面画像を得る装置等にも適用可能である。
【００７１】
さらに、シャインプルークカメラを回転させたり、水平または垂直方向に移動させたりすることにより前眼部の３次元形状画像を取得する装置にも適用可能である。この場合、所定の回転角度毎にずれ補正を行うことによって、精度よく前眼部の３次元形状画像を取得することが可能となり、３次元形状画像より取得される測定値の精度が良くなる。この場合、撮像面（スリット断面）に対して垂直な方向の位置ずれが検出され、その検出結果に基づいてずれ補正処理が行われる。
【００７２】
また、上記構成においては、光学的に前眼部断面像を取得したが、これに限定されない。例えば、Ｂスキャン用の超音波プローブを用いて前眼部からの反射情報を検出することによって前眼部断面像を取得する構成であればよい。
【００７３】
なお、本実施例においては、ＩＯＬ度数の算出方法として、既知であるＳＲＫ／Ｔ式、Ｂｉｎｋｈｏｒｓ式等のＩＯＬ計算式を用いたがこれに限定されない。例えば、光線を用いて、光の反射や屈折の様子を幾何学的に追いかけて、光の振る舞いをシミュレーションする光線追跡法によって、ＩＯＬ度数を算出することもできる。この場合、予想術後前房深度ＥＬＰ、角膜厚ＣＣＴ、眼軸長測定結果ＡＬ、角膜前面の角膜曲率半径、角膜後面の角膜曲率半径、を用いて光線追跡法によって、ＩＯＬ度数を算出する。光線追跡法は、光の反射や屈折をシミュレーションによってＩＯＬ度数を算出したものであるため、理論式であるＩＯＬ計算式によりも精度良くＩＯＬ度数を算出することができる。
【００７４】
なお、本実施形態においては、角膜形状測定デバイス３００を用いて、角膜前面における角膜曲率半径が算出され、ＯＣＴデバイス５を用いて、角膜後面における角膜曲率半径が算出される構成としたがこれに限定されない。ＯＣＴデバイス５によって、角膜前後面における角膜曲率半径を算出してもよい。また、角膜前後面の角膜曲率半径を同様の測定値で扱ってもよい。すなわち、角膜形状測定デバイス３００で算出した角膜前面における角膜曲率半径が角膜前後面における角膜曲率半径として用いられる。
【００７５】
なお、本実施形態において、角膜形状測定デバイス３００として、角膜トポグラフィーを用いることもできる。この場合、角膜前面の曲率半径を算出する際に、角膜の全体の形状から角膜前面の曲率半径が算出されるため、角膜前面の曲率半径が精度良く算出される。このため、ＩＯＬ度数を算出する際に、ＩＯＬ度数算出の精度向上に繋がる。
【００７６】
なお、ＯＣＴデバイス５が毛様体を含む前眼部断面像の画像化が可能な前眼部撮像デバイス（例えば、超音波Ｂプローブ、前眼部ＯＣＴ）である場合、制御部８０は、ＯＣＴデバイス５によって取得された前眼部断面像における毛様体の位置情報に基づいて、オフセット量Ｘを求めてもよい。例えば、取得された前眼部断層像（前眼部断面像）より、毛様体（毛様体先端部）を検出し、検出した毛様体位置からチン小帯位置を予測する。そして、予測したチン小帯位置からチン小帯と水晶体との接点部分の位置を検出すればよい。
【００７７】
また、ＯＣＴデバイス５がチン小帯と水晶体の接点部分を含む前眼部断面像の画像化が可能な前眼部撮像デバイス（例えば、超音波Ｂプローブ、前眼部ＯＣＴ）である場合、制御部８０は、ＯＣＴデバイス５によって取得された前眼部断面像における接点部分を処理してオフセット量Ｘを求める。例えば、前眼部断層像（断面像）にチン小帯が撮影されていた場合には、取得された前眼部断層像より、チン小帯と水晶体との接点部分の位置を検出すればよい。
【００７８】
なお、本発明においては、本実施形態に記載した装置に限定されない。例えば、上記実施例の機能を行うＩＯＬ度数計算プログラムをネットワークや各種記憶媒体を介して、システムあるいは装置に供給する。そして、システムあるいは装置のコンピュータ（例えば、ＣＰＵ等）がプログラムを読み出し、実行することも可能である。
【符号の説明】
【００７９】
５  光コヒーレンストモグラフィーデバイス
３０  前眼部正面撮像光学系
４０  アライメント投影光学系
５０  ケラト投影光学系
７０  モニタ
８０  制御部
８５  メモリ
８４  操作部
【図１】
2018033807.tif 000008
【図２】
2018033807.tif 000009
【図３】
2018033807.tif 000010
【図４】
2018033807.tif 000011
【図５】
2018033807.tif 000012
【図６】
2018033807.tif 000013
【図７】
2018033807.tif 000014